(57)【要約】【課題】収納箱に切刃を取り付けずに、周知と同様に引き出されたシート状物を切断することができ、しかも、使用済後において危険が伴う切刃の取り外しが不要で、さらには、消費者が日常的に繰り返し使うときに要求される箱としての方形保持力が収納箱に要求されない収納箱用付属装置を提供する。【解決手段】収納箱Ａの外側に着脱可能に嵌め合わせ装着されるケース体５と、このケース体５の外面縁の長辺方向に沿って固着され、収納箱Ａ内から引き出されるラップフィルム１を切断する切刃６とを備えている。そして、ケース体５は、開口部７を有する略横長箱状で、ラップフィルム１を切断するときに収納箱Ａの長辺方向に加わる捩れ作用や曲げ作用などの外力によって収納箱Ａが損傷しないように保護する強度を備えていることにある。【選択図】図１
2010042843.tif 000002
【特許請求の範囲】
【請求項１】
箱外に引き出されて切断されるシート状物のロール体を収納する収納箱に着脱可能に装着される付属装置であって、
前記収納箱の外側に着脱可能に嵌め合わせ装着されるケース体と、
このケース体の外面縁の長辺方向に沿って固着され、前記収納箱内から引き出された前記シート状物を切断する切刃と、を備え、
前記ケース体は、開口部を有する略横長箱状に形成され、かつ、前記収納箱が外力によって損傷しないように保護する強度を保有していることを特徴とする収納箱用付属装置。
【請求項２】
前記ケース体は、開口長辺一側縁部から折り曲げ可能に延設される刃先ガード片部を備え、
この刃先ガード片部は、前記切刃の刃先を覆うように、前記ケースの開口長辺一側縁部から該ケース体の外面に沿って折り曲げられて当該外面に剥離可能に取り付けられていることを特徴とする請求項１に記載の収納箱用付属装置。
【請求項３】
前記刃先ガード片部は、前記ケース体の外面から剥がされた後に、該ケース体に嵌め合わせ装着された前記収納箱の内側に折り返されることにより、少なくとも前記シート状物が切断されるときに、該シート状物を前記収納箱に備えられているシート押え片部との間で押さえ込む前記収納箱の長辺一側立上り壁の内面に沿ってあてがわれるように形成されていることを特徴とする請求項２に記載の収納箱用付属装置。
【請求項４】
前記刃先ガード片部は、前記ケース体の外面から剥がされた後に、該ケースの開口長辺一側縁部から該ケース体の内面側に沿うように折り返されることにより、少なくとも前記ケース体の長辺一側立上り壁と底面壁とを二重壁構造に形成することを特徴とする請求項２に記載の収納箱用付属装置。
【請求項５】
前記ケース体は、平面的に展開されている状態から前記収納箱の外側に嵌め合わせ装着される略横長箱状に組み立てられるように形成されていることを特徴とする請求項１に記載の収納箱用付属装置。
【発明の詳細な説明】
【技術分野】
【０００１】
本発明は、食品包装用のラップフィルム、アルミホイル、クッキングペーパなどのシート状物のロール体を収納する収納箱に着脱可能に装着されて用いられる付属装置に係り、特に、箱外に必要な長さだけ引き出されたシート状物を切断するための切刃を備えている付属装置に関する。
【背景技術】
【０００２】
例えば、ロール状に巻かれているラップフィルムを収納する収納箱としては種々の構造形態のものが提案されている(例えば、特許文献１および特許文献２などを参照)。
従来から知られている一般的な収納箱は、例えば、特許文献１に開示されているように、ロール状に巻かれているラップフィルムのロール体が収納される側面視で略正四角形状で横長の略角型柱状（略角型筒状）に形成されている。
そして、四面一側に設けられている開口部から、必要な長さだけ引き出されたラップフィルムが、開口部を開閉する蓋体などに備えられている金属製の切刃（切断刃）によって切断されることにより、必要とする長さのラップフィルムが繰り返し供給されるように構成されている。
【０００３】
ところで、近年では、ゴミの分別廃棄が広くいきわたっており、その一環として、使用済みの収納箱は、金属製の切刃を紙製の収納箱から取り外して分別廃棄することが望まれている。
【特許文献１】特開２０００−１９０９５７号公報
【特許文献２】特開２００８−１５０１０７号公報
【発明の開示】
【発明が解決しようとする課題】
【０００４】
しかし、切刃は、収納箱に対し、切刃側に設けられている爪による突き刺し折り曲げなどによって頑丈に取り付けられている。しかも、切刃は、収納箱や蓋体の長辺方向の縁部からその刃先がわずかに出ているだけであるために、掴むことができず、簡単には取り外すことができない。
【０００５】
そこで、従来では、切刃の近くで収納箱自体を切り裂いたり、掴み工具などを用いて切刃の刃先を掴んで、収納箱から切刃を無理やり取り外すなどで、切刃と収納箱とを分別することが行われているが、その際に切刃が勢いよく跳ねて手を傷つけるなどの危険が伴うものとなっていた。
このように、従来では、収納箱からの切刃の取り外しが容易ではなく分別廃棄がしづらい上に、危険と伴うなどの問題があり、その対策が望まれていた。
【０００６】
そこで、本発明は、前記課題を解消するために創案されたものであり、収納箱に切刃を取り付けずに、周知と同様に収納箱から引き出されたシート状物を切断することができ、しかも、複数の収納箱に対して繰り返し使用することが可能で、さらには、消費者が日常的に繰り返し使うときに要求される箱としての強度が収納箱側に要求されない収納箱用の付属装置を提供することにある。
【課題を解決するための手段】
【０００７】
前記課題を解決するために、本発明では、箱外に引き出されて切断されるシート状物のロール体を収納する収納箱に着脱可能に装着される付属装置であって、
前記収納箱の外側に着脱可能に装着されるケース体と、このケース体の外面縁の長辺方向に沿って固着され、前記収納箱内から引き出された前記シート状物を切断する切刃と、を備え、前記ケース体は、開口部を有する略横長箱状に形成され、かつ、前記収納箱が外力によって損傷しないように保護する強度を備えていることを特徴とする。
ここで、前記ケース体は、開口長辺一側縁から折り曲げ可能に延設されて、前記切刃の刃先を覆う刃先ガード片部を備えていることが好適なものとなる。
【０００８】
このような構成によれば、収納箱の着脱可能に嵌め合わせ装着されるケース体側に備えられている切刃によって、収納箱から引き出されるシート状物を切断することができる。これにより、シート状物が無くなった使用済の収納箱をそそまま廃棄することができる。
つまり、従来品のように、面倒で危険が伴う切刃を取り外すなどの分別を行うことなく、収納箱を廃棄処理することができる。しかも、ケース体は、収納箱が外力（シート状物を切断するときに収納箱の長辺方向に加わる捩れ作用や曲げ作用など）によって損傷しないように保護する強度を備えているために、収納箱自体を、従来品よりも薄い紙材を用いて形成することができる。
また、刃先ガード片部によって、ケース体に備えられている切刃が覆われていることで、流通過程や販売店などにおける取り扱い時における安全性を確保することができる。
【０００９】
また、本発明では、前記刃先ガード片部が、前記ケース体の外面から剥がされた後に、該ケース体にはめ込み装着された前記収納箱に内側に折り返されることにより、少なくとも前記シート状物が切断されるときに、該シート状物を前記収納箱に備えられているシート押え片部との間で押さえ込む前記収納箱の長辺一側立上り壁の内面に沿って内設されるように形成されていることを特徴とする。
【００１０】
このような構成によれば、ケース体の外面から剥がされて収納箱の長辺一側立上り壁の内面に沿ってあてがわれるように折り返された刃先ガード片部により、収納箱の長辺一側立上り壁に剛性が付与される。つまり、長辺一側立上り壁は、刃先ガード片部とによって二重壁構造に形成される。
これにより、収納箱から引き出されたシート状物が切断されるときに、収納箱の長辺一側立上り壁の外面に沿わされたシート状物の幅方向全体をシート押え片部との間で均一に、かつ、確実に押さえ込むことができる。つまり、消費者がシート押え片部の上からシート状物を押さえ込んだときに、刃先ガード片部によって内側から支えられている長辺一側立上げ壁は内側（ロール体側）に撓むなどの変形を起さない。これによって、シート状物の幅方向全体にわたり均等なテンションを掛けつつ切刃に押し当てて切断することができる。
【００１１】
また、本発明では、前記刃先ガード片部が、前記ケース体の外面から剥がされた後に、前記ケースの開口長辺一側縁部から該ケース体の内面側に沿うように折り返されることにより、少なくとも前記ケース体の長辺一側の立上り壁と底面壁とを二重壁構造に形成することを特徴とする。
これにより、ケース体の強度をより一層効果的に増強させることができる。
【００１２】
また、前記ケース体が、展開された状態から前記収納箱の外側に嵌め合わせ装着される箱状に組み立てられるように形成されていることを特徴とする。
これにより、切刃を備えたケース体を、流通のときや販売店などにおいて平面状に展開させた状態で取り扱うことができるために、すでに箱状に形成されているものに比べて、その取り扱い性の向上を図ることができる。例えば、数十枚から数百枚を一同に重ねた状態で取り扱うことができる。
【発明の効果】
【００１３】
本発明の収納箱用付属装置は、以上のように構成されていることで、収納箱に切刃を取り付けずに、周知と同様に収納箱から引き出されたシート状物をケース体側に備えられている切刃によって切断することができる。
そして、使用済みになった収納箱を廃棄するときに、危険が伴う切刃の取り外しが不要で、さらには、消費者が日常的に繰り返し使うときに要求される長辺方向における捩れ作用や曲げ作用などの外力に対する強度はケース体が持っているために、収納箱側にその外力に対する強度が要求されない。
これにより、収納箱は、切刃が不要である上に、収納箱自体の材料費を削減することができる分、より安価に製作し、提供することが可能となる。しかも、廃棄処理が簡便で、取り扱い上においても安全であるなどの消費者にニーズに答えた収納箱用の付属装置を提供することができる。
【００１４】
また、本発明によれば、収納箱から引き出されたシート状物が切断されるときに、シート状物をシート押え片部との間で挟み込むように押さえ込む収納箱の長辺一側立上り壁には刃先ガード片部とによる二重壁構造によって剛性（強度）が付与される。
これにより、シート状物の幅方向全体をシート押え片部との間で均一に、かつ、確実に押さえ込むことができので、シート状物の幅方向全体にわたり均等なテンションを掛けつつ切刃に押し当てて、速やかにシート状物を切断することができる。
【発明を実施するための最良の形態】
【００１５】
以下、本発明の実施形態について、適宜図面を参照しながら詳細に説明する。
図１は、第１の実施形態に係る付属装置を装着した収納箱を示す斜視図であり、図２は、同縦断側面図である。
なお、食品包装用のシート状物としては、ラップフィルム、アルミホイル、クッキングペーパなどを挙げることができるが、本実施形態については、ラップフィルムのロール体を収納する収納箱を一例に挙げて説明する。
【００１６】
≪収納箱の構成≫
収納箱Ａは、流通のときや販売店などにおける陳列のときに、破損しない程度の強度（方形保持力）を有する厚さの紙材を用いて形成されている。
つまり、本実施形態に係る収納箱Ａは、周知の収納箱を作る紙材の厚さに比べて、厚さが薄い紙材を用いて、周知のように、ラップフィルム1のロール体1ａを収容し得る大きさを有する側面視で略正四角形状で横長の略角型柱状（略角型筒状）に形成されている。これにより、紙材の材料費の削減を図り、収納箱Ａを安価に製造し得るようにしている。
【００１７】
また、収納箱Ａは、図１および図２に示すように、四角四面の一側面（上面）に開口されている開口部２の開口長辺一側縁部に沿わせて連設させた蓋体３を備えている。この蓋体３には、ラップフィルム１を必要な長さだけ引き出した後に、ラップフィルム１を収納箱Ａの前側立上り壁ａ１との間で挟み込むように押えるためのラップラップ押え片部４が備えられている。
【００１８】
≪第１の実施形態の付属装置の構成≫
図３は、第１の実施形態に係る付属装置を示す斜視図であり、図４は、同縦断側面図である。ここでは、図１および図２を適宜参照しながら説明する。
付属装置Ｂは、図１に示すように、収納箱Ａの外側に着脱可能に嵌め合わせ装着されるケース体５と、このケース体５の外面縁の長辺方向に沿って固着され、収納箱Ａ内から箱外に引き出されたラップフィルム１を切断する鋸刃状の金属製切刃６とを備えて構成されている。
【００１９】
≪ケース体の構成≫
ケース体５は、収納箱Ａを外力から保護する。例えば、収納箱Ａから引き出されたラップフィルム１にテンションを掛けつつ切刃６に当てて切断するとき、特に、収納箱Ａの長辺方向に掛かる捩れ作用や曲げ作用などの外力によって収納箱Ａが損傷しないように、収納箱Ａをその外側から保護する強度（方形保持力）を有する厚紙やその他の紙材、例えば、コートボール紙などからなる厚紙を用いて形成されている。
【００２０】
このケース体５は、図１および図４に示すように、収納箱Ａの底面壁ａ２から上面の開口部２に至る高さ方向の略下半部側において、収納箱Ａを包囲するように嵌め合わせ装着する程度の深さで、開口部（収納箱装着口）７を有する略横長箱状に形成されている。
そして、ケース体５は、開口部７の開口長辺一側縁（前側立上り壁ｂ２の上端）から折り曲げ可能に延設させた刃先ガード片部８を備え、さらに、この刃先ガード片部８が備えられている前側立上り壁ｂ２との連設コーナー縁に沿う底面壁ｂ１に、連設コーナー縁からやや前方（図２において紙面左方向）に向けて刃先を突出させた状態で長辺方向に固着させた切刃６を備えている。
これにより、収納箱Ａの開口部２から引き出されてラップ押え片部４を介して一方の手で押えられたラップフィルム１の端部分をもう一方の手で摘み、ラップフィルム１にテンションを掛けつつ切刃６に押し当てることで、ラップフィルム１を切断することができるようにしている。
【００２１】
≪刃先ガード片部の構成≫
刃先ガード片部８は、流通のときや販売店などにおいて流通業者や販売員が付属装置Ｂを取り扱うとき、そして消費者が付属装置Ｂを購入し、ケース体５に収納箱Ａが装着されるまでの間において、切刃６の刃先を保護する役目をなすものである。
この刃先ガード片部８は、図２、図３および図４に示すように、ケース体５の開口長辺一側縁から、収納箱Ａの前側立上り壁ａ１の外面上半部、そして開口部２の開口縁から収納箱Ａの内側に折り曲げられて前側立上り壁ａ１の内面に沿って底面壁ａ２に至る程度の長さに延設されてケース体５に備えられている。
そして、このようにケース体５に備えられている刃先ガード片部８は、付属装置Ｂの流通ときや販売店などにおいて陳列のとき、つまり、消費者が購入するまでの間は、図４に示すように、ケース体５の前側立上り壁ｂ２と底面壁ｂ１とのそれぞれの外面に沿うように折り曲げられて、底面壁ｂ１の接着剤などによって剥離可能に取り付けられているようになっている。
【００２２】
[作用説明]
つぎに、以上のように構成されている第１の実施形態に係る付属装置Ｂの使用法について簡単に説明する。
図５は、刃先ガード片部をケース体から剥がし、ケース体に嵌め合わせ装着された収納箱の内側に折り返すときの状態を示す縦断側面図であり、図６は、収納箱からラップフィルムを引き出して切断するときの状態を示す同縦断側面図である。ここでは、図２から図４を適宜参照しながら説明する。
購入した付属装置Ｂを切刃無しの収納箱Ａに装着するときには、まず、図４に示す状態で図示省略のパッケージに収納されている付属装置Ｂを、パッケージから取り出した後に、図３および図５の（ａ）に示すように、ケース体５の底面壁ｂ１から切刃６の刃先を覆う刃先ガード片部８を剥がす。
そして、図５の（ｂ)に示すように、収納箱Ａをケース体５に嵌め合わせ装着した後に、刃先ガード片部８を、収納箱Ａの前側立上り壁ｂ２の上半部外面からその内面全体に沿わせてあてがうように収納箱Ａの内側に折り返す(図２参照)。このとき、ロール体１aを収納箱Ａから取り出して行うとよい。また、刃先ガード片部８は、収納箱Ａの開口部２の開口縁に合わせて設けられている図示省略の折れ目線によって開口縁から前側立上り壁ｂ２の内面に沿って密接するように収納箱Ａの内側に折り曲げられる。
これにより、ケース体５と収納箱Ａとは刃先ガード片部８によって一体的に連結される。そして、収納箱Ａの前側立上り壁ｂ２は、刃先ガード片部８とによる二重壁構造によって、ラップフィルム１を切断するときに、外から押されても収納箱Ａの内側に撓むなどの変形を起さない程度の剛性が付与されるものである。
【００２３】
このようにして、付属装置Ｂを収納箱Ａの装着した状態で使用するときには、付属装置Ｂを介して収納箱Ａを一方の手で掴み、図６の（ａ）に示すように、収納箱Ａの蓋体３を開け、ラップフィルム１を開口部２から必要な長さだけ引き出した後に、図６の（ｂ）に示すように、引き出したラップフィルム１を収納箱Ａの蓋体３に備えられているラップ押え片部４で押える。このとき、ラップフィルム１はラップ押え片部４と収納箱Ａの前側立上り壁ｂ２との間で、幅方向全体が均一にしっかりと押え込まれる。
そして、もう一方の手で引き出されたラップフィルム１の端部分を摘み、ラップフィルム１にテンションを掛けつつ切刃６に押し当てる。このとき、ラップフィルム１は、その幅方向全体がラップ押え片部４と収納箱Ａの前側立上り壁ｂ２との間で均一に押さえ込まれていることで、切刃６に当てるラップフィルム１の幅方向全体に均等にテンションを掛けつつ切刃６に押し当てることができる。
これにより、切刃６に押し当てての切断の初めやその途中などにおいてラップフィルム１が刃先に引っ掛かるなどによって切れないなどがなく、ラップフィルム１を速やかに切断することができる。つまり、ラップフィルム１の幅方向に、切れ味が悪くなる弛みなどを生じさせない状態で、切刃６に押し当てて切断することができる。
【００２４】
そして、ラップフィルム１が無くなり、付属装置Ｂが装着されている切刃無しの収納箱Ａが使用済みとなった場合には、刃先ガード片部８を収納部Ａ内から取り外した後に、収納箱Ａを付属装置Ｂから取り外し、新しい収納箱Ａに入れ替えることで、付属装置Ｂを継続して使用することができる。
【００２５】
≪第２の実施形態に係る付属装置の構成≫
図７は、第２の実施形態に係る付属装置を装着した収納箱を示す斜視図であり、図８は、同縦断側面図である。図９は、第２の実施形態に係る付属装置を示す斜視図である。
この実施形態では、図７および図８に示すように、付属装置Ｂ−１を構成するケース体５に収納箱を嵌め合わせ装着するときに、ケース体に備えられている刃先ガード片部を、ケース体から切り離して使用するようにしている。それ以外の構成要素において前記した第１の実施形態と基本的に同じことから、同じ構成要素に同じ符号を付することで重複説明は省略する。
すなわち、図９に示すように、ケース体５の開口長辺一側縁に対する刃先ガード片部８の連設基部には切れ目線９が設けられている。
これにより、消費者が、付属装置Ａを購入し、ケース体５を収納箱Ａに嵌め合わせ装着するときに、後記の図１０に示すように、ケース体５の底面壁ｂ１に貼り付けられている刃先ガード片部８を底面壁ｂ１から剥がした後に、切れ目線９から刃先ガード片部８を切り離すことができるようになっている。
【００２６】
[作用説明]
つぎに、このように構成されている第２の実施形態に係る付属装置Ｂ−１の使用法について簡単に説明する。
図１０は、刃先ガード片部をケース体から剥がし、ケース体から切り離す状態を示す縦断側面図であり、図１１は、ケース体に収納箱を嵌め合わせ装着するときの状態を示す同縦断側面図であり、図１２は、収納箱からラップフィルムを引き出して切断するときの状態を示す同縦断側面図である。
前記した第１の実施形態のように、消費者が購入後において、図９および図１０に示すように、ケース体５の底面壁ｂ１から切刃６の刃先を覆う刃先ガード片部８を剥がし、該刃先ガード片部８をケース体５の開口長辺一側縁に沿って設けられている切れ目線９から切り離してケース体５から分離する（図１０の二点鎖線の状態）。
つぎに、図１１に示すように、刃先ガード片部８が分離されたケース体５に、収納箱Ａを、その底部側から嵌め込む。これにより、付属装置Ｂを収納箱Ａに装着することができる。
【００２７】
そして、使用するときには、付属装置Ｂ−１を介して収納箱Ａを一方の手で掴み、図１２の（ａ）に示すように、収納箱Ａの蓋体３を開け、ラップフィルム１を開口部２から必要な長さだけ引き出した後に、図１２の（ｂ）に示すように、引き出したラップフィルム１を収納箱Ａの蓋体３に備えられているラップ押え片部４で押え、もう一方の手で引き出されたラップフィルム１の端部分を摘み、ラップフィルム１にテンションを掛けつつ切刃６に押し当てる。このとき、ラップフィルム１をケース体５に備えられている切刃６に当てて切断することから、収納箱Ａの長辺方向に生じる捩れ作用や曲げ作用などの外力はケース体５によって受け止められ、収納箱Ａ側には一切掛からない。これにより、周知と同様に、必要な長さのラップフィルム１を切断することができる（図１２（ｂ）の状態）。
【００２８】
そして、ラップフィルム１が無くなり、付属装置Ｂ−１が装着されている切刃無しの収納箱Ａが使用済みとなった場合には、使用済み収納箱Ａから付属装置Ｂを取り外し、新しい収納箱Ａに入れ替えることで、付属装置Ｂを継続して使用することができる。
【００２９】
[他の実施形態の説明]
図１３は、第２の実施形態の係る構成の付属装置の他の実施形態を示す斜視図であり、図１４は、同縦断側面図である。ここでは、図１０を適宜参照しながら説明する。
なお、この他の実施形態では、刃先ガード片部８をケース体５から切り離さずに、ケース体５の外側から内側に沿うように折り返すことにより、ケース体５の箱としての強度（方形保持力）をさらに向上させるようにしたものである。それ以外の構成要素において前記した第１および第２の実施形態と基本的に同じことから、同じ構成要素に同じ符号を付することで重複説明は省略する。
【００３０】
すなわち、図１０に示すように、ケース体５は、底面壁ｂ１から剥がされる刃先ガード片部８を、この刃先ガード片部８の連設基部に沿ってケース体５の開口長辺一側縁部に設けられている折れ目線１０からケース体５の前側立上り壁ｂ２、底面壁ｂ１の内側に沿わせるように折り返すことで、前側立上り壁ｂ２と底面壁ｂ１を内外二重壁構造としている。
この場合、刃先ガード片部８の開放長辺縁の１または数ヶ所に掛止爪片１１を備え、この掛止爪片１１を掛止させるための掛止スリット１２を、図１３および図１４に示すように、ケース体５の底面壁ｂ１と後側立上り壁ｂ３との連設コーナー部の後側立上り壁ｂ３の下部に備えて、刃先ガード片部８をケース体５内に定着させるようにすることが好適なものとなる。
【００３１】
このように、前側立上り壁ｂ２と底面壁ｂ１とが内外二重壁構造に構成されるケース体５には、高い強度（方形保持力）が付与される。これにより、ラップフィルム１を引き出して切断するために消費者が日常的に繰り返し使うときの収納箱Ａの長辺方向に加わる捩れ作用や曲げ作用などの外力から収納箱Ａが損傷しないように保護することができる。
【００３２】
≪第３の実施形態の付属装置の構成≫
図１５は、第３の実施形態に係る付属装置のケース体を形成するブランクシートを示す展開斜視図であり、図１６は、折り曲げ組み立てられた付属装置を示す縦断正面図および縦断側面図である。
なお、この第３の実施形態では、付属装置Ｂ−２を構成するケース体５−１を、平板状に展開された状態での流通や販売店などにおける陳列を可能とし、そして、消費者が購入後において消費者自身がケース体５−１を横長箱状に組み立てて、切刃無しの収納箱Ａに嵌め合わせ装着するように構成している。それ以外の構成要素において前記した第２の実施形態と基本的に同じことから、同じ構成要素に同じ符号を付することで重複説明は省略する。
すなわち、付属装置Ｂ−２は、ブランクシートＣを用いて組み立て可能に形成されるケース体５−１に切刃６を備えることで構成される。
【００３３】
ブランクシートＣは、コートボール紙など一枚の厚紙から打ち抜き裁断されるものであり、図１５に示すように、ケース体５−１の底面壁ｂ１を形成する底板１３、この底板１３の短辺両側縁からそれぞれ内方に折り曲げられるように連設されてケース体５−１の両側立上り壁ｂ４をそれぞれ形成する内外の側板１４ａ，１４ｂおよび両側フラップ１５を備えている。
そして、ブランクシートＣは、底板１３の長辺前後縁からそれぞれ内方に折り曲げられるように連設されてケース体５−１の前後立上り壁ｂ２，ｂ３をそれぞれ形成する内外の前板１６ａ，１６ｂと内外の後板１７ａ，１７ｂおよび前後フラップ１８、外側前板１６ｂと外側後板１７ｂの両側縁からそれぞれ内方に折り曲げられるように連設されてケース体５−１の前後立上り壁ｂ２，ｂ３を両側立上り壁ｂ４に接続する接続フラップ１９を備えている。
これにより、折り曲げ各要所にそれぞれ設けられている各折れ目線に沿って、ブランクシートＣを、図１６に二点鎖線で示すように、内外の両側板１４ａ，１４ｂおよび両側フラップ１５、そして内外の前板１６ａ，１６ｂと内外の後板１７ａ，１７ｂおよび前後フラップ１８、両側フラップ１９を順次に折り曲げ組み立てることで、図１６に実線で示す上面に開口部２を備え、外面縁部の長辺方向に沿って固着された金属製切刃６を備えているケース体５−１が折り曲げ形成されるようにしている。
【００３４】
[作用説明]
以上のように、ブランクシートＣから組み立て形成されるケース体５−１を備えている付属装置Ｂ−２によれば、図１５に示すように展開された状態で、流通および販売店などにおいて取り扱われ、消費者が購入し、消費者自身によって折り曲げ組み立てられるものである。
組み立てられたケース体５−１は、図１６の（ａ）に示すように、底面壁ｂ１を形成する底板１３の上に順次に重なり合うように折り曲げられる両側、前後のフラップ１５，１８による四重壁構造によって底面壁ｂ１が増強され、そしてこの底面壁ｂ１から立ち上がる前後立上り壁ｂ２，ｂ３および両側立上り壁ｂ４は、内外の前板１６ａ，１６ｂ、後板１７ａ，１７ｂおよび内外の両側板１４ａ，１４ｂによる二重壁構造によってそれぞれ増強される。
これにより、ケース体５−１には箱としての高い強度（方形保持力）が付与され、ラップフィルム１を引き出して切断するために消費者が日常的に繰り返し使うときの収納箱Ａの長辺方向に加わる捩れ作用や曲げ作用などの外力から収納箱Ａが損傷しないように保護することができる。
換言すれば、収納箱Ａは、消費者が日常的に繰り返し使うときに要求される箱としての強度（方形保持力）が要求されない薄い紙材を用いて形成することができる。これによって、切刃が不要である上に、収納箱Ａ自体の材料費を削減することができる分、収納箱Ａをより安価に製作し、提供することが可能となる。
【００３５】
なお、本発明の実施形態の具体的な構成は、前記した各実施形態に限られるものではなく、請求項１から請求項５に記載の本発明の要旨を逸脱しない範囲で設計変更などがあっても本発明に含まれるものである。
例えば、ケース体５，５−１の前後立上り壁ｂ２，ｂ３、両側立上り壁ｂ４の高さを、収納箱Ａの底部から上面の開口部２に至る高さとし、開口部２を除いて収納箱Ａの外側をすっぽりと包囲するように形成することができる。
【００３６】
また、流通や販売店などにおける陳列の際に、切刃６の刃先を覆う刃先ガード片部８が、消費者によってケース体５の内側に沿うように折り返されたときに、図１４に示した実施形態のように、ケース体５の前側立上り壁ｂ２、底面壁ｂ１を内外二重壁構造とするものに限らず、前側立上り壁ｂ２、底面壁ｂ１、後側立上り壁ｂ３にわたりそれら壁面を内外二重壁構造に構成するように、刃先ガード片部８を形成することができる。
この場合、底面壁ｂ１と後側立上り壁ｂ３との内側にあてがわれる刃先ガード片部８の折り曲げ部分（連設コーナー部分）に、図１３および図１４に示すような掛止爪片１１を切込みなどによって切り起こし可能に備えて、消費者が組み立てるときに、図１４に示すように、後側立上り壁ｂ３の下部に備えられている掛止スリット１２に掛止させるようにすると良い。
【００３７】
また、ケース体５，５−１は、厚紙以外の他の材料、例えば、合成樹脂材などからなる板材などを用いて一体または組み立て可能に形成することができる。
【図面の簡単な説明】
【００３８】
【図１】第１の実施形態に係る付属装置を装着した収納箱を示す斜視図である。
【図２】同縦断側面図である。
【図３】第１の実施形態に係る付属装置を示す斜視図である。
【図４】同付属装置の縦断側面図である。
【図５】同付属装置を消費者が使用するときの状態を示し、（ａ）は、刃先ガード片部をケース体の底面壁から剥がした状態の縦断側面図であり、（ｂ）は、ケース体に嵌め合わせ装着された収納箱の内側に刃先ガード片部を折り返すときの状態を示す縦断側面図である。
【図６】同付属装置が装着された収納箱からラップフィルムを引き出して切断するときの状態を示し、（ａ）は、収納箱からラップフィルムを引き出している状態の縦断側面図であり、（ｂ）は、引き出されたラップフィルムを切刃に当てて切断するときの状態を示す縦断側面図である。
【図７】第２の実施形態に係る付属装置を装着した収納箱を示す斜視図である。
【図８】同縦断側面図である。
【図９】第２の実施形態に係る付属装置を示す斜視図である。
【図１０】同付属装置を消費者が使うときにおいて、刃先ガード片部をケース体から剥がし、ケース体から切り離す状態を示す縦断側面図である。
【図１１】ケース体に収納箱を嵌め合わせ装着するときの状態を示す同縦断側面図である。
【図１２】収納箱からラップフィルムを引き出して切断するときの状態を示し、（ａ）は、収納箱からラップフィルムを引き出している状態の同縦断側面図であり、（ｂ）は、引き出されたラップフィルムを切刃に当てて切断するときの状態を示す同縦断側面図である。
【図１３】第２の実施形態の係る構成の付属装置の他の実施形態を示す斜視図である。
【図１４】同付属装置の縦断側面図である。
【図１５】第３の実施形態に係る付属装置のケース体を組み立て形成するブランクシートを示す展開斜視図である。
【図１６】展開状態から折り曲げ組み立てられた同付属装置を示し、（ａ）は、縦断正面図であり、（ｂ）は、同縦断側面図である。
【符号の説明】
【００３９】
Ａ      収納箱
ａ１    前側立上り壁（長辺一側立上り壁）
ａ２    底面壁
Ｂ，Ｂ−１，Ｂ−２  付属装置
１      ラップフィルム（シート状物）
１ａ    ロール体
２      開口部（収納箱）
３      蓋体
４      ラップ押え片部
５      ケース体
６      切刃
７      開口部（ケース体）
８      刃先ガード片部
９      折れ目線
ｂ１    底面壁
ｂ２    前側立上り壁
ｂ３    後側立上り壁
ｂ４    側面壁
【図１】
2010042843.tif 000003
【図２】
2010042843.tif 000004
【図３】
2010042843.tif 000005
【図４】
2010042843.tif 000006
【図５】
2010042843.tif 000007
【図６】
2010042843.tif 000008
【図７】
2010042843.tif 000009
【図８】
2010042843.tif 000010
【図９】
2010042843.tif 000011
【図１０】
2010042843.tif 000012
【図１１】
2010042843.tif 000013
【図１２】
2010042843.tif 000014
【図１３】
2010042843.tif 000015
【図１４】
2010042843.tif 000016
【図１５】
2010042843.tif 000017
【図１６】
2010042843.tif 000018